(57)【特許請求の範囲】
【請求項１】
氷蓄熱槽と、電動機で駆動するコンプレッサーを要素とする空調システムである空冷ヒートポンプパッケージの第１の屋外機と、ガスエンジンで駆動するコンプレッサーを要素とする空調システムであるガスエンジンヒートポンプパッケージの第２の屋外機を別々に設置すると共に、氷蓄熱槽内に第１、第２の熱交換冷媒経路を構成し、第１の屋外機の冷媒経路を氷蓄熱槽内の第１の熱交換冷媒経路に接続すると共に、第２の屋外機の冷媒経路は、氷蓄熱槽内の第２の熱交換冷媒経路と屋内機に至る冷媒経路に直列に接続したことを特徴とする氷蓄熱・ヒートポンプ式空調システム
【請求項２】
氷蓄熱槽と、電動機で駆動するコンプレッサーを要素とする空調システムである空冷ヒートポンプパッケージの第１の屋外機と、ガスエンジンで駆動するコンプレッサーを要素とする空調システムであるガスエンジンヒートポンプパッケージの第２の屋外機を別々に設置すると共に、夫々に対応して氷蓄熱槽内に第１、第２の熱交換冷媒経路を構成し、第１の屋外機の冷媒経路は、氷蓄熱槽内の第１の熱交換冷媒経路と、第１の屋内機に至る冷媒経路に並列に接続して、それらを切り換える切換弁機構を構成すると共に、第２の屋外機の冷媒経路は、氷蓄熱槽内の第２の熱交換冷媒経路と第２の屋内機に至る冷媒経路に直列に接続したことを特徴とする氷蓄熱・ヒートポンプ式空調システム
【請求項３】
氷蓄熱槽と、電動機で駆動するコンプレッサーを要素とする空調システムである空冷ヒートポンプパッケージの第１の屋外機と、ガスエンジンで駆動するコンプレッサーを要素とする空調システムであるガスエンジンヒートポンプパッケージの第２の屋外機を別々に設置すると共に、夫々に対応して氷蓄熱槽内に第１、第２の熱交換冷媒経路を構成し、第１の屋外機の冷媒経路は、氷蓄熱槽内の第１の熱交換冷媒経路と、第１の屋内機に至る冷媒経路に切換弁機構により直列及び並列に接続可能な構成とすると共に、第２の屋外機の冷媒経路は、氷蓄熱槽内の第２の熱交換冷媒経路と第２の屋内機に至る冷媒経路に直列に接続したことを特徴とする氷蓄熱・ヒートポンプ式空調システム
【請求項４】
第２の熱交換冷媒経路をバイパスするバイパス経路を構成し、それらを切り換える切換弁機構を構成したことを特徴とする請求項１、２又は３に記載の氷蓄熱・ヒートポンプ式空調システム
【請求項５】
第２の熱交換冷媒経路に対応する切換弁機構は、バイパス経路に設けた開閉弁と、バイパス経路の両端側と第２の熱交換冷媒経路の両端側との間に夫々設けた開閉弁とから構成したことを特徴とする請求項４に記載の氷蓄熱・ヒートポンプ式空調システム
【請求項６】
第１の熱交換冷媒経路に対応する切換弁機構は、第１の熱交換冷媒経路の両側の夫々に対応した開閉弁と、第１の屋内機の冷媒経路の両側の夫々に対応した開閉弁とから構成したことを特徴とする請求項２に記載の氷蓄熱・ヒートポンプ式空調システム
【請求項７】
第１の屋外機は冷房専用機又は冷暖房切替機として構成し、第１の熱交換冷媒経路に対応する切換弁機構は、第１の熱交換冷媒経路の往き側に対応した開閉弁と、第１の屋内機の冷媒経路の往き側に対応した開閉弁とから構成したことを特徴とする請求項２に記載の氷蓄熱・ヒートポンプ式空調システム
【請求項８】
第１の屋外機の冷媒経路の両端側に第１の熱交換冷媒経路を接続し、夫々に開閉弁を設けると共に、第１の熱交換冷媒経路のバイパス経路を開閉弁よりも第１の屋外機側に設けて、このバイパス経路に開閉弁を設けると共に、第１の屋外機の冷媒経路の一方側に開閉弁を設け、この開閉弁の両端側に第１の屋内機に至る冷媒経路を接続して、この冷媒経路に開閉弁を設けた構成として切換弁機構を構成したことを特徴とする請求項３に記載の氷蓄熱・ヒートポンプ式空調システム
【請求項９】
第１と第２の熱交換冷媒経路は、並設した一対の配管により構成したことを特徴とする請求項１〜８のいずれか１項に記載の氷蓄熱・ヒートポンプ式空調システム
【発明の詳細な説明】
【０００１】
【発明の属する技術分野】
本発明は、氷蓄熱・ヒートポンプ式空調システムに関するものである。
【０００２】
【従来の技術】
電力平準化は社会的要望であり、エネルギーの安定的供給とエネルギーコストの低減を図るためには、昼夜間の電力負荷格差を縮小させる必要がある。
電力の夜間へのシフトの手法として、現在、蓄熱方式があり、近来、コストの安い氷蓄熱槽を備えた空冷ヒートポンプパッケージとして提供されている。
この氷蓄熱槽を備えた空冷ヒートポンプパッケージは、夜間電力を利用して氷蓄熱を行い、これを昼に利用して冷房能力のアップを図るものである。尚、氷蓄熱槽は、冷房運転においては、文字通り氷の形で熱（冷熱）を蓄えるのであるが、暖房運転においては、温水として熱を蓄えられるものである。
一方、電力のピークカットの手法として、近来、ガスエンジンにより駆動するコンプレッサーによりヒートポンプ系統を構成したガスエンジンヒートポンプパッケージが開発され、提供されている。
【０００３】
本発明は、これらの両者のピークシフト及びピークカット手法の要点を組み合わせることにより、より大きな電力のピークシフト、ピークカットを目指し、ランニングコストの大幅な低減を図ることを目的とするものである。
【０００４】
この点に関し、本発明者は、先に、ガスエンジンと電動機を昼夜で切り換えてヒートポンプ系統を構成するコンプレッサーを駆動することによりランニングコストを低減するヒートポンプ式空調システムを提案した。（特開平１０−７８２４８号公報参照。）
【０００５】
【発明が解決しようとする課題】
しかしながら上記システムでは、ガスエンジンと電動機及びコンプレッサー等のヒートポンプ系統を構成する要素を屋外機として一体に構成するため、新たな機器設計が必要となり、コスト高になるという課題を有していた。
そこで本発明はこのような課題を解決することを主な目的とするものである。
【０００６】
【課題を解決するための手段】
上述した課題を解決するために本発明では、まず第１の構成として、氷蓄熱槽と、電動機で駆動するコンプレッサーを要素とする空調システムである空冷ヒートポンプパッケージの第１の屋外機と、ガスエンジンで駆動するコンプレッサーを要素とする空調システムであるガスエンジンヒートポンプパッケージの第２の屋外機を別々に設置すると共に、氷蓄熱槽内に第１、第２の熱交換冷媒経路を構成し、第１の屋外機の冷媒経路を氷蓄熱槽内の第１の熱交換冷媒経路に接続すると共に、第２の屋外機の冷媒経路は、氷蓄熱槽内の第２の熱交換冷媒経路と屋内機に至る冷媒経路に直列に接続した構成の氷蓄熱・ヒートポンプ式空調システムを提案する。
【０００７】
また本発明では第２の構成として、氷蓄熱槽と、電動機で駆動するコンプレッサーを要素とする空調システムである空冷ヒートポンプパッケージの第１の屋外機と、ガスエンジンで駆動するコンプレッサーを要素とする空調システムであるガスエンジンヒートポンプパッケージの第２の屋外機を別々に設置すると共に、夫々に対応して氷蓄熱槽内に第１、第２の熱交換冷媒経路を構成し、第１の屋外機の冷媒経路は、氷蓄熱槽内の第１の熱交換冷媒経路と、第１の屋内機に至る冷媒経路に並列に接続して、それらを切り換える切換弁機構を構成すると共に、第２の屋外機の冷媒経路は、氷蓄熱槽内の第２の熱交換冷媒経路と第２の屋内機に至る冷媒経路に直列に接続した構成の氷蓄熱・ヒートポンプ式空調システムを提案する。
【０００８】
また本発明では第３の構成として、氷蓄熱槽と、電動機で駆動するコンプレッサーを要素とする空調システムである空冷ヒートポンプパッケージの第１の屋外機と、ガスエンジンで駆動するコンプレッサーを要素とする空調システムであるガスエンジンヒートポンプパッケージの第２の屋外機を別々に設置すると共に、夫々に対応して氷蓄熱槽内に第１、第２の熱交換冷媒経路を構成し、第１の屋外機の冷媒経路は、氷蓄熱槽内の第１の熱交換冷媒経路と、第１の屋内機に至る冷媒経路に切換弁機構により直列及び並列に接続可能な構成とすると共に、第２の屋外機の冷媒経路は、氷蓄熱槽内の第２の熱交換冷媒経路と第２の屋内機に至る冷媒経路に直列に接続した氷蓄熱・ヒートポンプ式空調システムを提案する。
【０００９】
そして本発明では、以上の構成において、第２の熱交換冷媒経路をバイパスするバイパス経路を構成し、それらを切り換える切換弁機構を構成した氷蓄熱・ヒートポンプ式空調システムを提案する。
【００１０】
また以上の構成において、第２の熱交換冷媒経路に対応する切換弁機構は、例えば、バイパス経路に設けた開閉弁と、バイパス経路の両端側と第２の熱交換冷媒経路の両端側との間に夫々設けた開閉弁とから構成することができる。
【００１１】
また上記第２の構成において、第１の熱交換冷媒経路に対応する切換弁機構は、第１の熱交換冷媒経路の両側の夫々に対応した開閉弁と、第１の屋内機の冷媒経路の両側の夫々に対応した開閉弁とから構成することができる。
【００１２】
また上記第２の構成において、第１の屋外機は冷房専用機又は冷暖房切替機として構成し、第１の熱交換冷媒経路に対応する切換弁機構は、第１の熱交換冷媒経路の往き側に対応した開閉弁と、第１の屋内機の冷媒経路の往き側に対応した開閉弁とから構成することができる。
【００１３】
また上記第３の構成において、第１の屋外機の冷媒経路の両端側に第１の熱交換冷媒経路を接続し、夫々に開閉弁を設けると共に、第１の熱交換冷媒経路のバイパス経路を開閉弁よりも第１の屋外機側に設けて、このバイパス経路に開閉弁を設けると共に、第１の屋外機の冷媒経路の一方側に開閉弁を設け、この開閉弁の両端側に第１の屋内機に至る冷媒経路を接続して、この冷媒経路に開閉弁を設けた構成として切換弁機構を構成することができる。
【００１４】
さらに以上の構成において、第１と第２の熱交換冷媒経路は、並設した一対の配管により構成することができる。
【００１５】
以上の本発明によれば、空冷ヒートポンプパッケージの運転により氷蓄熱槽に蓄熱し、これをガスエンジンヒートポンプパッケージの運転時に利用して、それに接続した屋内機により空調を行うことができるので、氷蓄熱槽を備えた空冷ヒートポンプパッケージによるピークシフトと、ガスエンジンヒートポンプパッケージによるピークカット手法の両方を合理的に組み合わせて、より大きな電力のピークシフトとピークカットを図ることができる。
【００１６】
空冷ヒートポンプパッケージとガスエンジンヒートポンプパッケージを組み合わせる際、それらの屋外機は、別々に設置するので、それらを一体に構成する場合のように新たな設計が不要で、非常にローコストとすることができる。
【００１７】
空冷ヒートポンプパッケージとガスエンジンヒートポンプパッケージの冷媒が、氷蓄熱槽内の蓄熱媒体と熱交換するための熱交換冷媒経路は、第１、第２の熱交換冷媒経路として別々に構成しているため、夫々の冷媒やオイルが混合することがなく、夫々のヒートポンプ動作を最適に行うことができる。
【００１８】
また空冷ヒートポンプパッケージにも屋内機を接続して、それにより空調を行うことができ、空冷ヒートポンプパッケージの有効利用を図ることができる。
【００１９】
【発明の実施の形態】
次に本発明の実施の形態を図を参照して説明する。
まず図１〜図３は本発明の氷蓄熱・ヒートポンプ式空調システムの第１の実施の形態を示すもので、図１は全体の系統説明図であり、また図２は第１の屋外機の冷媒回路の概略図、図３は第２の屋外機の冷媒回路の概略図である。
符号１は電動機（図示省略）で駆動するコンプレッサー２ａを要素とする空調システムである空冷ヒートポンプパッケージの屋外機であり、以降、これを第１の屋外機と云う。この第１の屋外機１は、図２で示すように、前記コンプレッサー２ａと、四方弁２０と、室外熱交換器２１と、室外ファン２２、その他、図示は省略しているがアキュムレータ等の他の必要な要素を内蔵しており、冷媒経路７ｕ，７ｖを介して後述する氷蓄熱槽に接続されている。
また符号３はガスエンジン４で駆動するコンプレッサー２ｂを要素とする空調システムであるガスエンジンヒートポンプパッケージの屋外機であり、以降、これを第２の屋外機という。この第２の屋外機３は、図３で示すように、ガスエンジン４で駆動するコンプレッサー２ｂと、四方弁３０と、室外熱交換器３１と、室外ファン３２、その他の必要な要素を内蔵しており、冷媒経路８ｕ，８ｖを介して後述する氷蓄熱槽に接続されている。
また符号５は氷蓄熱槽であり、この氷蓄熱槽５には、槽内を通る熱交換冷媒経路を２経路構成している。即ち、氷蓄熱槽５内には第１、第２の熱交換冷媒経路６ａ，６ｂを構成している。これらの第１、第２の熱交換冷媒経路６ａ，６ｂは、例えば並設した一対の配管により構成する他、夫々独立していて、氷蓄熱槽５内の蓄熱媒体と熱交換可能な構成であれば適宜に構成することができる。
以上の第１、第２の屋外機１、３と氷蓄熱槽５を別々に設置する。
そして、第１の屋外機１の冷媒経路７ｕ，７ｖを氷蓄熱槽５内の第１の熱交換冷媒経路６ａに接続すると共に、第２の屋外機３の冷媒経路８ｕ，８ｖは、氷蓄熱槽５内の第２の熱交換冷媒経路６ｂと屋内機９に至る冷媒経路１０ｕ，１０ｖに直列に接続している。即ち、第２の屋外機３の冷媒経路８ｕ，８ｖは、一方側８ｕを、氷蓄熱槽５内の第２の熱交換冷媒経路６ｂを介して、屋内機９に至る冷媒経路の一方側１０ｕに接続すると共に、他方側８ｖを屋内機９に至る冷媒経路の他方側１０ｖに接続する構成としている。
また、この実施の形態では、第２の熱交換冷媒経路６ｂをバイパスするバイパス経路１１を構成し、それらを切り換える切換弁機構１２を構成している。
尚、屋内機９には、図示を省略しているが、室内熱交換器と膨張弁とが内蔵されている。
さらに、この実施の形態において、切換弁機構１２は、バイパス経路１１に設けた開閉弁１２ａと、バイパス経路１１の両端側と第２の熱交換冷媒経路６ｂの両端側との間に夫々設けた開閉弁１２ｂ，１２ｃとから構成している。切換弁機構１２は、この他、３方弁等を利用して構成することもできるものである。
【００２０】
以上の構成において、夜間においては、開閉弁１２ａ，１２ｂ，１２ｃを閉として、第１の屋外機１のみを運転する。
この運転状態では、四方弁２０は実線の状態に設定しており、第１の屋外機１のコンプレッサー２ａを要素とするヒートポンプ系統の動作により、冷媒は実線矢印（図１、図２参照）で示すように、氷蓄熱槽５の第１の熱交換冷媒経路６ａとの間に冷媒経路７ｕ，７ｖを通して冷媒が循環し、冷房期においては第１の熱交換冷媒経路６ａとの熱交換により氷蓄熱槽５内に氷を形成して蓄熱が行われる。（暖房期にこのような蓄熱運転を行うとした場合には、四方弁２０を破線の状態に設定して冷媒を破線矢印で示すように流すことにより、氷蓄熱槽５内に温水が作られて蓄熱が行われる。）
このように夜間において氷蓄熱槽５に蓄熱を行っている際に室内の空調が必要な場合には、開閉弁１２ａを開として第２の屋外機３を運転し、コンプレッサー２ｂを要素とするヒートポンプ系統を動作させると、冷媒は、実線矢印（図１、図３参照）で示すように、氷蓄熱槽５の第２の熱交換冷媒経路６ｂをバイパスして、冷媒経路８ｕからバイパス経路１１を通過して屋内機９への冷媒経路１０ｕに流すことができ、こうして屋内機９において室内の空調に供されると共に、空調に供された冷媒は、冷媒経路１０ｖ，８ｖを経て第２の屋外機３に還流する。
尚、開閉弁１２ａは、夜間の蓄熱運転において常時開とするようにする他、夜間の蓄熱運転において必要に応じて開とするようにすることができる。
【００２１】
次に空調を行う昼間において、氷蓄熱槽５内の蓄熱を利用して空調運転を行う場合には、開閉弁１２ａを閉とすると共に、開閉弁１２ｂ，１２ｃを開として、第２の屋外機３を運転する。
この運転状態では、第２の屋外機３のコンプレッサー２ｂを要素とするヒートポンプ系統の動作により、冷媒は、図１において一点鎖線矢印（図３においては実線矢印）で示すように、冷媒経路８ｕから開状態の開閉弁１２ｂを経て氷蓄熱槽５内の第２の熱交換冷媒経路６ｂに至り、この第２の熱交換冷媒経路６ｂにおいて蓄熱媒体と熱交換して過冷却された後、開状態の開閉弁１２ｃを通り、冷媒経路１０ｕから屋内機９に供給されて冷房に供される。
こうして夜間において氷蓄熱槽５に蓄熱された冷熱を、昼間における冷房に有効利用することができる。
屋内機９において冷房に供された冷媒は、次いで冷媒経路１０ｖ，８ｖを経て第２の屋外機３に還流して、循環に供される。
以上の説明は、冷房期の運転についてであるが、暖房期においても上述したとおり夜間に氷蓄熱槽５に温水の形で蓄熱した熱を、昼間に有効利用できることは勿論である。
【００２２】
尚、空調を行う昼間においても、場合によっては、開閉弁１２ｂ，１２ｃを閉とすると共に、開閉弁１２ａを開として、氷蓄熱槽５内の蓄熱を利用しない空調運転を行うことができる。
【００２３】
また以上に説明した実施の形態ではバイパス経路１１と切換弁機構１２を構成しているが、夜間の蓄熱時においてガスエンジンヒートポンプパッケージの屋外機、即ち第２の屋外機３の運転による室内の空調を行う機能が不要な場合には、上記バイパス経路１１等は不要である。
【００２４】
更に以上の実施の形態では、空冷ヒートポンプパッケージは、冷暖房運転が可能な構成として説明しているが、これは冷房専用機により構成することもできるものである。
このような構成では、暖房期においては氷蓄熱槽５に温水として蓄熱を行わず、専ら冷房期において氷蓄熱槽５に氷として蓄熱を行うものとなるが、一般的にガスエンジンヒートポンプパッケージは暖房能力が大であることから、暖房能力の低下は余り来さず、むしろ温水蓄熱によるＣＯＰの低下を来さないという利点や、システム全体の構成も簡素化されるという利点もある。
【００２５】
次に図４は本発明の氷蓄熱・ヒートポンプ式空調システムの第２の実施の形態を示す系統説明図であり、図１に示す第１の実施の形態の要素と同様な要素には同一の符号を付して重複する説明は省略する。
即ち、この実施の形態では、第１の実施の形態において、第２の屋外機３に対応して設置した屋内機９に加え、第１の屋外機１にも対応して他の屋内機４１を設置したものである。この、他の屋内機４１とは、先に第１の屋内機と記載しているものであり、そして屋内機９は、先に第２の屋内機としても記載しているものである。
この第２の実施の形態においては、第１の屋外機１の冷媒経路７ｕ，７ｖは、氷蓄熱槽５内の第１の熱交換冷媒経路６ａと、第１の屋内機４１に至る冷媒経路４２ｕ，４２ｖに並列に接続し、それらを切り換える切換弁機構４３を構成したものである。この実施の形態においては、切換弁機構４３は、第１の熱交換冷媒経路６ａの両側の夫々に対応した開閉弁４３ａ，４３ｂと、第１の屋内機４１の冷媒経路４２ｕ，４２ｖの両側の夫々に対応した開閉弁４３ｃ，４３ｄとから構成している。
【００２６】
以上の構成において、夜間は、開閉弁４３ｃ，４３ｄを閉、開閉弁４３ａ，４３ｂを開として第１の屋外機１を運転することにより、冷媒を図中実線矢印で示すように氷蓄熱槽５内の第１の熱交換冷媒経路６ａに流して氷蓄熱槽５に蓄熱を行うことができる。
また昼間は、開閉弁４３ａ，４３ｂを閉、開閉弁４３ｃ，４３ｄを開として第１の屋外機１を運転することにより、冷媒を図中破線矢印で示すように冷媒経路４２ｕ，４２ｖを経て第１の屋内機４１に流して空調を行うことができる。
従って、この第２の実施の形態では、昼間は、第２の屋外機３の運転により、氷蓄熱槽５内の蓄熱を利用した空調を第２の屋内機９を介して行えると同時に、第１の屋外機１の運転により第１の空調機４１を介して行うことができる。
【００２７】
次に図５は本発明の氷蓄熱・ヒートポンプ式空調システムの第３の実施の形態を示す系統説明図であり、図２に示す第２の実施の形態の要素と同様な要素には同一の符号を付して重複する説明は省略する。
即ち、この実施の形態では、第１の屋外機１は冷房専用機として構成し、切換弁機構４３は、第１の熱交換冷媒経路６ａの往き側に対応した開閉弁４３ａと、第１の屋内機４１の冷媒経路の往き側４２ｕに対応した開閉弁４３ｃとから構成したものである。
【００２８】
この構成では、夜間は、開閉弁４３ｃを閉、開閉弁４３ａを開として第１の屋外機１を運転することにより、冷媒を、図中実線矢印で示すように氷蓄熱槽５内の第１の熱交換冷媒経路６ａに流して氷蓄熱槽５に蓄熱を行うことができる。
また昼間は、開閉弁４３ａを閉、開閉弁４３ｃを開として第１の屋外機１を運転することにより、冷媒を、図中破線矢印で示すように冷媒経路４２ｕ，４２ｖを経て第１の屋内機４１に流して空調を行うことができる。
従って、第２の実施の形態と同様に、昼間は第２の屋外機３の運転により、氷蓄熱槽５内の蓄熱を利用した空調を第２の屋内機９を介して行えると同時に、第１の屋外機１の運転により第１の空調機４１を介して行うことができる。
【００２９】
次に図６は本発明の氷蓄熱・ヒートポンプ式空調システムの第４の実施の形態を示す系統説明図であり、図１に示す第２の実施の形態の要素と同様な要素には同一の符号を付して重複する説明は省略する。
即ち、この実施の形態では、第１の屋外機１の冷媒経路７ｕ，７ｖは、氷蓄熱槽５内の第１の熱交換冷媒経路６ａと、第１の屋内機４１に至る冷媒経路４２ｕ，４２ｖに切換弁機構により直列及び並列に接続可能な構成としており、具体的には、第１の屋外機１の冷媒経路７ｕ，７ｖの両端側に第１の熱交換冷媒経路６ａを接続し、夫々に開閉弁４４ａ，４４ｂを設けると共に、第１の熱交換冷媒経路６ａのバイパス経路４５を上記開閉弁４４ａ，４４ｂよりも第１の屋外機１側に設けて、このバイパス経路４５に開閉弁４４ｃを設けると共に、第１の屋外機１の冷媒経路の一方側７ｖに開閉弁４４ｄを設け、この開閉弁４４ｄの両端側に第１の屋内機４１に至る冷媒経路４２ｕ，４２ｖを接続して、この冷媒経路４２ｕ，４２ｖに開閉弁４４ｅ，４４ｆを設けた構成とし、これらにより切換弁機構４４を構成している。
【００３０】
この構成では、夜間は、開閉弁４４ａ，４４ｂ，４４ｄを開、開閉弁４４ｃ，４４ｅ，４４ｆを閉として第１の屋外機１を運転することにより、冷媒を、図中実線矢印で示すように氷蓄熱槽５内の第１の熱交換冷媒経路６ａに流して氷蓄熱槽５に蓄熱を行うことができる。
また昼間は、上記と逆に、開閉弁４４ａ，４４ｂ，４４ｄを閉、開閉弁４４ｃ，４４ｅ，４４ｆを開として第１の屋外機１を運転することにより、冷媒を、図中破線矢印で示すように冷媒経路４２ｕ，４２ｖを経て第１の屋内機４１に流して空調を行うことができる。
更に、この構成では、昼間において、開閉弁４４ｃ，４４ｄを閉、そして他の全ての開閉弁４４ａ，４４ｂ，４４ｅ，４４ｆを開とすることにより、第１の熱交換冷媒経路６ａと第１の屋内機４１に至る冷媒経路４２ｕ，４２ｖを直列に接続することができ、このため第１の屋外機３の運転により、氷蓄熱槽５内の蓄熱を利用した空調を第１の屋内機４１を介して行うことができる。
従って、この実施の形態では、昼間は第２の屋外機３の運転により、氷蓄熱槽５内の蓄熱を利用した空調を第２の屋内機９を介して行えると同時に、第１の屋外機１の運転により第１の空調機４１を介して行うことができ、この際、必要に応じて、氷蓄熱槽５内の蓄熱を利用した空調を第１の屋内機４１を介して行うことができる。
この運転では、第１の屋内機４１を介した空調における第１の屋外機１の消費電力低減運転が可能となる。
【００３１】
【発明の効果】
本発明は以上のとおり、氷蓄熱槽を備えた空冷ヒートポンプパッケージと、ガスエンジンにより駆動するコンプレッサーによりヒートポンプ系統を構成したガスエンジンヒートポンプパッケージを合理的に組合せたので、次のような効果がある。
ａ．夜には、安い夜間電力を利用して氷蓄熱槽に蓄熱（冷熱を含む）を行うと共に、昼には安い冷房用ガス料金を利用して電力のピークカットを行うと同時に夜に氷蓄熱槽に蓄熱した熱を有効に利用して空調能力の増大を図ることができる。
ｂ．屋外機は、空冷ヒートポンプパッケージのものと、ガスエンジンヒートポンプパッケージのものを別々に設置するので、ガスエンジンと電動機及びコンプレッサー等のヒートポンプ系統を構成する要素を屋外機として一体に構成するものとは異なり、新たな機器設計が不要で、コストが安い。
ｃ．空冷ヒートポンプパッケージとガスエンジンヒートポンプパッケージの冷媒が、氷蓄熱槽内の蓄熱媒体と熱交換するための熱交換冷媒経路は、第１、第２の熱交換冷媒経路として別々に構成しているため、夫々の冷媒やオイルが混合することがなく、夫々のヒートポンプ動作を最適に行うことができる。
ｄ．空冷ヒートポンプパッケージにも屋内機を接続して、それにより空調を行うことができ、空冷ヒートポンプパッケージの有効利用を図ることができる。
【図面の簡単な説明】
【図１】  本発明の氷蓄熱・ヒートポンプ式空調システムの第１の実施の形態を示す全体の系統説明図である。
【図２】  第１の屋外機の冷媒回路の概略図である。
【図３】  第２の屋外機の冷媒回路の概略図である。
【図４】  本発明の氷蓄熱・ヒートポンプ式空調システムの第２の実施の形態を示す全体の系統説明図である。
【図５】  本発明の氷蓄熱・ヒートポンプ式空調システムの第２の実施の形態を示す全体の系統説明図である。
【図６】  本発明の氷蓄熱・ヒートポンプ式空調システムの第２の実施の形態を示す全体の系統説明図である。
【符号の説明】
１                        第１の屋外機
２ａ，２ｂ                コンプレッサー
３                        第２の屋外機
４                        ガスエンジン
５                        氷蓄熱槽
６ａ                      第１の熱交換冷媒経路
６ｂ                      第２の熱交換冷媒経路
７ｕ，７ｖ                冷媒経路
８ｕ，８ｖ                冷媒経路
９                        屋内機（第２の屋内機）
１０ｕ，１０ｖ            冷媒経路
１１                      バイパス経路
１２                      切換弁機構
１２ａ，１２ｂ，１２ｃ    開閉弁
２０，３０                四方弁
２１，３１                室外熱交換器
２２，３２                室外ファン
４１                      第１の屋内機
４２ｕ，４２ｖ            冷媒経路
４３ａ，４３ｂ，４３ｃ，
４３ｄ                    開閉弁
４４ａ，４４ｂ，４４ｃ，
４４ｄ，４４ｅ，４４ｆ    開閉弁
４５                      バイパス経路
【図１】
0004306055.tif 000002
【図２】
0004306055.tif 000003
【図３】
0004306055.tif 000004
【図４】
0004306055.tif 000005
【図５】
0004306055.tif 000006
【図６】
0004306055.tif 000007